(57)【要約】【課題】電子番組表（ＥＰＧ）と連係し、処理すべき番組種別を判別し、番組種別にしたがった最適な映像処理方法を選択する装置を提供する。【解決手段】電子番組受信部４により電子番組表（ＥＰＧ）を取得する。次に処理する映像の放映時間及びチャンネルを映像選択部（タイマ３、チューナ２）により選択し、選択された映像が映像入力部を通じて入力される。また、映像選択部により選択された映像の映像種別を映像種別判別部６により判別する。映像処理方法決定部８では映像種別判別部６により判別された映像種別に従い映像処理方法を決定する。最終的に映像処理方法決定部８により決定された映像処理方法に従って映像入力部により入力された映像が映像処理部９で画質調整処理がなされる。【選択図】図１
2009225483.tif 000002
【特許請求の範囲】
【請求項１】
電子番組表を取得する電子番組表取得手段と、処理する映像を選択する映像選択手段と、該映像選択手段により選択された映像の映像種別を判別する映像種別判別手段と、該映像種別判別手段により判別された映像の映像種別から映像処理方法を決定する映像処理方法決定手段と、該映像処理方法決定手段により決定された映像処理方法に従って前記映像選択手段により選択された映像を処理する映像処理手段とを具備し、
前記映像処理方法決定手段により決定する映像処理方法は、画質調整であることを特徴とする映像処理装置。
【請求項２】
前記画質調整の調整値を設定するパラメータ設定手段を具備することを特徴とする請求項１記載の映像処理装置。
【請求項３】
前記映像選択手段は、前記電子番組表から処理する映像を選択することを特徴とする請求項１記載の映像処理装置。
【請求項４】
前記映像選択手段は、放映チャンネル及び時刻を直接入力することにより処理する映像を選択することを特徴とする請求項１記載の映像処理装置。
【発明の詳細な説明】
【技術分野】
【０００１】
本発明は、テレビジョン放送等を受信して得た映像を処理する映像処理装置に関し、さらに詳しくは、電子番組表（Electronic Program Guide．以下、ＥＰＧという）と連係し、入力される映像の映像種別に従って映像の処理方法を変更し、最適な映像処理を行うことができる映像処理装置に関する。
【背景技術】
【０００２】
従来、ＥＰＧを用いた技術として、特開平１１−３１３２６４号公報（テレビジョン信号送受信装置）に開示されているような、ＥＰＧを用いた番組選択の技術が知られている。
特開平１１−３１３２６４号公報に開示されたテレビジョン信号送受信装置は、ディジタル放送信号に含まれる番組情報をもとに統一的な１つのＥＰＧを作成し表示可能とすることで、ユーザの番組選択を容易にすることを目的とするものである。
【０００３】
そして、そのための具体的な構成として、テレビジョン信号送受信装置は、送信手段により番組データと番組選択するための複数の番組に基づく第１の番組情報とを多重して送信されたディジタル放送信号と、前記第１の番組情報よりもさらに詳細な第２の番組情報を前記番組データに多重して送信されたディジタル放送信号との少なくとも一方を受信するとともに、これらの受信データから前記第１の番組情報と前記第２の番組情報との少なくとも一方を抽出して出力する受信手段と、前記受信手段からの前記第１及び第２の番組情報を記憶する記憶手段と、前記記憶手段の前記第１及び第２の番組情報の読み出し制御が可能なもので、前記記憶手段から読み出された前記第１及び第２の番組情報を入力し、これらの第１及び第２の番組情報を基に、全ての番組情報を表す統一した１つの統合番組選択画面を作成し画面上に表示させる番組選択画面作成手段とを具備したものである。
【先行技術文献】
【特許文献】
【０００４】
【特許文献１】特開平１１−３１３２６４号公報
【発明の概要】
【発明が解決しようとする課題】
【０００５】
しかしながら、上記従来技術においては、ＥＰＧを用いユーザが如何に番組を選択しやすくするかに関する技術が開示されているのみで、放送を受信して得た映像を処理することについては何も考慮されてなく、映像の種類によっては満足するような表示画面が得られず、十分な表示機能を備えたものとはいえない。
したがって、本発明は、ＥＰＧと連係し、処理すべき番組種別を判別し、番組種別に従った最適な映像処理方法を自動的に選択する映像処理装置を提供することを目的とする。
【課題を解決するための手段】
【０００６】
上記の目的を達成するための本発明第１の技術手段は、電子番組表を取得する電子番組表取得手段と、処理する映像を選択する映像選択手段と、該映像選択手段により選択された映像の映像種別を判別する映像種別判別手段と、該映像種別判別手段により判別された映像の映像種別から映像処理方法を決定する映像処理方法決定手段と、該映像処理方法決定手段により決定された映像処理方法に従って前記映像選択手段により選択された映像を処理する映像処理手段とを具備し、前記映像処理方法決定手段により決定する映像処理方法は、画質調整であることを特徴とする。
【０００７】
第２の技術手段は、第１の技術手段の映像処理装置において、前記画質調整の調整値を設定するパラメータ設定手段を具備することを特徴とする。
【０００８】
第３の技術手段は、第１の技術手段の映像処理装置において、前記映像選択手段は、前記電子番組表から処理する映像を選択することを特徴とする。
【０００９】
第４の技術手段は、第１の技術手段の映像処理装置において、前記映像選択手段は、放映チャンネル及び時刻を直接入力することにより処理する映像を選択することを特徴とする。
【００１０】
（作用）
第１の技術手段においては、電子番組表取得手段により電子番組表（ＥＰＧ）を取得する。次に処理する映像の放映時間およびチャンネルを映像選択手段により選択し、選択された映像が映像入力手段を通じて入力される。また、映像選択手段により選択された映像の映像種別を映像種別判別手段により判別する。映像処理方法決定手段では映像種別判別手段により判別された映像種別に従って映像処理方法を決定する。最終的に映像処理方法決定手段により決定された映像処理方法に従って映像入力手段により入力された映像の画質を調整する。
【００１１】
第２の技術手段においては、第の技術手段の映像処理装置において、映像種別に従った画質調整値をユーザが好みの値に設定可能である。
【００１２】
第３の技術手段においては、第１の技術手段の映像処理装置において、ＥＰＧから番組を指定することにより、映像の放映時刻およびチャンネルを取得し、映像選択手段における映像選択を行う。
【００１３】
第４の技術手段においては、第１の技術手段の映像処理装置において、直接放映時刻およびチャンネルを指定することにより、映像の放映時刻およびチャンネルを取得し、映像選択手段における映像選択を行う。
【発明の効果】
【００１４】
本発明によれば、ＥＰＧと連結し、処理すべき映像種別を判別して、判別した映像種別に基づき、映像の画質を調整することにより、映像種別に最適な画質の映像を提供することが可能となる。
【００１５】
また、映像種別による画質調整のパラメータをユーザが設定することにより、個々のユーザに最適な画質の映像を提供することが可能となる。
また、ＥＰＧを用いて入力映像を選択することにより、ユーザは容易に映像選択を行うことが可能となる。
また、放送チャンネル及び放映時刻を直接入力することにより、既に放映情報が分かっている番組に対して、ユーザは容易に映像選択を行うことが可能となる。
【図面の簡単な説明】
【００１６】
【図１】映像処理装置の実施例における機能ブロック図である。
【図２】映像処理装置の実施例における処理を示すフローチャートである。
【図３】映像選択手段の処理を示すフローチャートである。
【図４】図３と異なる映像選択手段の処理を示すフローチャートである。
【図５】映像種別判別手段の処理を示すフローチャートである。
【図６】映像記録手段の処理を示すフローチャートである。
【図７】映像種別判別手段及び映像処理手段の処理を示すフローチャートである。
【図８】パラメータ設定手段の処理を示すフローチャートである。
【図９】映像種別判別手段および映像処理手段の処理を示すフローチャートである。
【図１０】ＥＰＧデータを示す図である。
【図１１】ＥＰＧの提示例を示す図である。
【図１２】映像種別とテロップの関係を示すテーブルを示す図である。
【図１３】パラメータテーブルを示す図である。
【発明を実施するための形態】
【００１７】
以下、本発明の実施の形態を図１〜図１３に示す実施例に基づいて説明する。
図１は、本発明による映像処理装置の実施例の機能ブロック図である。
映像処理装置は、テレビ映像を受信するアンテナ１、アンテナ１により受信された電波からチャンネルを選択するためのチューナ２、処理すべき映像の放映時刻を設定するためのタイマ３、ＥＰＧ（電子番組表）を受信し取得するためのＥＰＧ取得部４、ＥＰＧ取得部４により受信されたＥＰＧを保持するＥＰＧメモリ５、チューナ２に設定されたチャンネル、タイマ３に設定された放映時刻及びＥＰＧメモリ５に蓄えられたＥＰＧから映像の種別を判別する映像種別判別部６、チューナ２により受信された映像を保持するメモリ７、映像種別判別部６により判別された映像種別に基づき処理方法を決定する映像処理方法決定部８、メモリ７から映像データを読み込み、映像処理方法決定部８により決定された処理方法に基づき映像を処理する映像処理部９を備えている。
また、映像処理装置は、映像処理部９における原映像及び映像処理部９による処理結果の映像を記録する映像記録部１０、映像処理部９におけるパラメータを保持するパラメータメモリ１１、ユーザがパラメータを設定するためのユーザＩ／Ｆ１２を備えている。
【００１８】
図２は、映像処理装置が、放送を受信し、ユーザにより選択された映像を処理し、原映像及び処理された映像を保存するまでの処理を示すフローチャートである。
ステップ１では、ＥＰＧの取得が行われ、ＥＰＧメモリ５に蓄積される。ＥＰＧは、現在インターネット及びデータ放送を通じて提供されているが、将来的に他のメディアにより提供されれば、そのメディアを利用することができる。
ステップ２では、処理する映像のチャンネルを指定し、ステップ３では、処理する映像の放映時刻を設定する。
ステップ４では、ＥＰＧメモリ５に蓄積されているＥＰＧデータ、ステップ２、ステップ３で選択された映像のチャンネル及び放映時刻から映像の種別を判別する。
ステップ５では、ステップ４により判別された映像種別に基づき、処理方法決定部８で映像の処理方法を決定する。
ステップ６で、現在時刻を取得し、ステップ７で処理の開始時刻との大小関係を比較し、開始時刻まで待機する。開始時刻になれば、ステップ８に進む。
ステップ８では、ステップ５により決定された処理方法に従い、入力される映像を処理する。
ステップ９で、現在時刻を取得し、ステップ１０で処理の終了時刻との大小関係を比較し、終了時刻に達していなければステップ８に戻り処理を継続する。
映像処理装置においては、ステップ１１で、原映像及び映像の処理結果が保存される。
【００１９】
図３は、処理する映像がＥＰＧから選択される場合の処理を示すフローチャートである。
ステップ２１では、ＥＰＧメモリ５からＥＰＧデータを読み出し、ステップ２２では、ステップ２１で読み出したＥＰＧデータをユーザに提示する。例えば、図１０に示すようなＥＰＧデータを図１１に示すような形式でユーザに提示する。
ステップ２３では、ユーザは図１１のＥＰＧより所望の番組を選択する。この時、ユーザが選択した番組情報がメモリ７に書き込まれる。
ステップ２４では、ステップ２３でユーザが選択した番組をＥＰＧデータから検索し、放映チャンネルおよび時刻を決定する。例えば、図１１においてユーザが国会中継を選択すると、図１０のＥＰＧデータより国会中継が検索され、放映チャンネル２、放映時刻１３：００〜１５：００が決定する。
ステップ２５では、ステップ２４で決定した放映チャンネルおよび時刻をチューナ２およびタイマ３に設定する。
【００２０】
図４は、処理する映像が放映チャンネル及び時刻を直接入力することにより選択される場合の処理を示すフローチャートである。
ステップ３１では、ユーザが直接チューナ２及びタイマ３を操作することにより放映チャンネルおよび時刻を決定する。
ステップ３２では、ＥＰＧメモリ５からＥＰＧデータが読み出される。
ステップ３３では、ステップ３２で読み出されたＥＰＧデータから、ステップ３１で指定された放映チャンネルおよび時刻に該当する番組が決定されると同時に、メモリ７に書き込まれる。例えば、ステップ３１で、放映チャンネル２、放映時刻１３：００〜１６：００が指定された場合には、図１０のＥＰＧデータより該当する番組を検索すると、国会中継（１３：００〜１５：００）および大相撲（１５：００〜１６：００）が該当番組として決定され、これらの情報がメモリ７に書き込まれる。
【００２１】
図５は、選択された映像が映像種別判別部６における判別結果がニュース等でテロップが多く内挿されている場合の処理を示すフローチャートである。
ステップ４１では、図３に示す処理のステップ２３もしくは図４に示す処理のステップ３３によりメモリ７に書き込まれた番組情報を読み出す。
ステップ４２では、ステップ４１で読み出した番組情報から処理すべき映像の種別を判別する。例えば、図１０のＥＰＧデータの場合、各番組に対し種別情報が予め与えられている。今、ユーザが大相撲を選択したとすると、図１０のＥＰＧデータより大相撲の種別はスポーツであることが分かる。また、ＥＰＧデータに種別項目が存在しない場合には、メモリ７等に番組と種別の関係を表したテーブルを持つ必要がある。この場合には、図１０のＥＰＧデータではなく、メモリ７等の上のデータを参照し、種別を判別する必要がある。
【００２２】
ステップ４３では、ステップ４２により判別された種別が、テロップを多用する映像種別であるか否かを判定する。
ステップ４２で、種別が判別されているので、図１２に示すような映像種別とテロップの関係を表すテーブルを参照する。今の例で考えると、種別がスポーツであると判別されているため、図１２のテーブルからテロップ数は“多”ということが分かる。テロップが多用される種別の場合には、ステップ４４でテロップ検出の動作を制御するフラグｂＴｅｌｏｐＤｅｔｅｃｔの値をＴＲＵＥに設定する。また、テロップが多用される種別でない場合には、ステップ４５でテロップ検出の動作を制御するフラグｂＴｅｌｏｐＤｅｔｅｃｔの値をＦＡＬＳＥに設定する。
【００２３】
さらに、ステップ４６で、テロップ検出時のパラメータの設定が行われる。例えば、図１３に示すような番組の詳細な種別とテロップ検出のパラメータの関係を表すテーブルをパラメータメモリ１１に保持しておく。上記の例では、相撲が選択されているので、パラメータは“左右”、“大”、“縦”となる。ここで、決定されたパラメータはメモリ７に、保持される。本実施例では、詳細種別とパラメータの関連のテーブルをパラメータメモリ１１等に保持したが、本発明における映像処理装置内に持つ必要はなく、通信手段を用い、インターネット等から取得しても構わない。また、パラメータを言葉で表現したが、数値による表現でも構わないし、図１３以外のパラメータを用いても構わない。
ステップ４７では、ｂＴｅｌｏｐＤｅｔｅｃｔがＴＲＵＥの場合のみ、テロップ検出を行う。この際、映像処理装置では、パラメータメモリ１１よりパラメータを読み出し、パラメータに従ったテロップ検出が行われる。
ステップ４８では、その他の映像処理が行われる。
ステップ４７、ステップ４８での処理結果はメモリ７に保持される。
【００２４】
図６は、映像種別判別部６の判別結果がニュースである場合の処理を示すフローチャートである。
ステップ５１では、図３のステップ２３もしくは図４のステップ３３によりメモリ７に書き込まれた番組情報を読み出す。
ステップ５２では、ステップ５１で読み出した番組情報から処理すべき映像の種別を判別する。
ステップ５３では、ステップ５２により判別された映像種別がニュースであるか否かを検証する。ニュースであれば、ステップ５４に進み映像処理部で、ニュース記事の切り出しを行う。ニュース記事の切り出しは、例えば、“Ｖｉｄｅｏ  Ａｓｓｅｍｂｌｅｒ：動画像処理と音声処理の統合によるニュース記事内容の分割（第４回知能情報シンポジウム、ｐｐ.２３−３０，１９９８）”に記載されている方法等を用いる。
【００２５】
図７は、映像記録部１０を備えた映像処理装置の処理を示すフローチャートである。
ステップ６１では、チューナ２より映像が入力される。
ステップ６２では、図２〜図６に示すような映像処理が映像処理装置において行われる。
ステップ６３では、ステップ６２において処理した映像が記録媒体に書き出される。
ステップ６４では、映像の終端を判定し、終端でなければステップ６１に戻り、処理を映像の終端まで繰り返す。
ステップ６５では、映像処理結果をメモリ７から読み出し、ステップ６６で、記録媒体に書き出す。
なお、本実施例において処理結果の書き出しは、映像の処理が終了してから行っているが、ステップ６４をステップ６６の後に行い、映像処理の都度記録しても構わない。
【００２６】
図８は、映像処理方法決定部８により決定する映像処理方法が画質調整である場合の処理を示すフローチャートである。
ステップ７１では、図３のステップ２３もしくは図４のステップ３３によりメモリ７に書き込まれた番組情報を読み出す。
ステップ７２では、ステップ７１で読み出した番組情報から処理すべき映像の種別を判別する。
ステップ７３では、パラメータメモリ１１に保持されているパラメータテーブルから映像種別に従ったパラメータを取得する。
ステップ７４では、ステップ７３で取得したパラメータに従って映像の画質を調整する。画質とは、コントラスト、色調、明るさ等、映像の見栄えに関するもので調整可能なものであれば良い。
【００２７】
図９は、画質調整の調整値を設定する場合の処理を示すフローチャートである。ステップ８１では、ユーザＩ／Ｆ１２を通じてユーザから設定すべきパラメータ情報が入力される。
ステップ８２では、ステップ８１で入力されたパラメータ情報をパラメータメモリ１１に記憶させる。
【符号の説明】
【００２８】
１…アンテナ、２…チューナ、３…タイマ、４…ＥＰＧ取得部、５…ＥＰＧメモリ、６…映像種別判別部、７…メモリ、８…映像処理方法決定部、９…映像処理部、１０…映像記録部、１１…パラメータメモリ、１２…ユーザＩ／Ｆ。
【図１】
2009225483.tif 000003
【図２】
2009225483.tif 000004
【図３】
2009225483.tif 000005
【図４】
2009225483.tif 000006
【図５】
2009225483.tif 000007
【図６】
2009225483.tif 000008
【図７】
2009225483.tif 000009
【図８】
2009225483.tif 000010
【図９】
2009225483.tif 000011
【図１０】
2009225483.tif 000012
【図１１】
2009225483.tif 000013
【図１２】
2009225483.tif 000014
【図１３】
2009225483.tif 000015